(57)【要約】【課題】ＤＶＤ−Ｒ／ＲＷのウォブル生成系におけるウォブル信号に含まれるＬＰＰ信号を除去してウォブル信号の品位の向上を図る。【解決手段】光ピックアップ１３からの出射光を光ディスクに照射し、光ディスク１１からの反射光をＡ〜Ｄのフォトダイオードを有する光ピックアップ１３で反射光を受光する。演算アンプ１６１では、フォトダイオードＡ〜Ｄより出力される検出信号の中から、フォトダイオードＡ，Ｄの出力を加算（Ａ＋Ｄ）、フォトダイオードＢ，Ｃの出力を加算（Ｂ＋Ｃ）したのち差演算を行い、（Ａ＋Ｄ）−（Ｂ＋Ｃ）の反射差信号を得る。この反射差信号からウォブル信号を生成する場合に、ＬＰＰ信号に同期したゲートをかけて差信号をサンプルホールドし、ウォブル信号からＬＰＰ信号を除去する。これにより、ウォブル信号の品位を向上させることができる。【選択図】      図１
2004227643.tif 000002
【特許請求の範囲】
【請求項１】
絶対時間情報に基づきウォブルさせたグルーブを有する光ディスクと、
前記光ディスクに光ビームを照射する光ビーム照射手段と、
前記光ディスクからの反射光を受光するため、前記光ディスクの半径方向に分割された少なくとも２つの受光面を持つ光検出手段と、
前記２つの受光面によりそれぞれ検出される第１および第２の出力信号に基づき、前記トラックのウォブルに対応するウォブル信号を生成するウォブル信号生成部と、を具備し、
前記ウォブル信号生成部は、前記第１および第２の出力信号の差演算を行って反射差信号を抽出し、該反射差信号に含まれる前記光ディスクの書き込み位置を示すＬＰＰ信号に同期したゲートにより、前記反射差信号をサンプルホールドすることによりウォブル信号を生成したことを特徴とする光ディスクドライブ装置。
【請求項２】
前記ウォブル信号生成部は、
第１および第２の出力信号の差演算を行い、前記反射差信号を得る演算アンプと、
前記反射差信号に基づき、該反射差信号の上および下側の信号レベルと所定値との比較を行い、比較した結果に基づいて前記ＬＰＰ信号に同期したマスク用ゲート信号を生成するＬＰＰスライス回路と、
前記マスク用ゲート信号に基づき前記反射差信号の前記ＬＰＰ信号にマスクがけするＬＰＰマスク回路と、
前記ＬＰＰ信号がマスクがけされた前記反射差信号の出力に波形整形を施す帯域通過フィルタ回路とからなることを特徴とする請求項１記載の光ディスクドライブ装置。
【請求項３】
前記ＬＰＰマスク回路は、
前記反射差信号の上側の信号レベルを所定レベルでスライスする第１のコンパレータと、
前記反射差信号の下側の信号レベルを所定レベルでスライスする第２のコンパレータと、
前記第１および第２のコンパレータの出力の論理和をとるＯＲ回路とからなることを特徴とする請求項２記載の光ディスクドライブ装置。
【発明の詳細な説明】
【０００１】
【発明の属する技術分野】
この発明は、ＤＶＤ（Ｄｉｇｉｔａｌ  Ｖｅｒｓａｔｉｌｅ  Ｄｉｓｋ）−Ｒ（Ｒｅｃｏｒｄａｂｌｅ）／ＲＷ（ＲｅＷｒｉｔａｂｌｅ）等の光ディスクのドライブに係り、特にウォブル生成系におけるウォブル（Ｗｏｂｂｌｅ：蛇行）信号に含まれるＬＰＰ（Ｌａｎｄ  ＰｒｅＰｉｔ）信号を除去してウォブル信号の品位を高める光ディスクドライブ装置に関する。
【０００２】
【従来の技術】
従来の光ディスクドライブ装置におけるウォブル信号生成方法は、光ディスクにレーザ光を照射し、光ディスクより反射された光をフォトダイオードＡ〜Ｄで検出し、これらフォトダイオードＡ〜ＤからＡ＋ＤとＢ＋Ｃを演算生成し、それぞれピークホールド、ボトムホールドした信号からウォブルを生成している。（例えば、特許文献１）
【０００３】
【特許文献１】
特開２０００−２００４１９公報（第５頁、図２）
【０００４】
【発明が解決しようとする課題】
上記した特許文献１の技術は、ウォブル信号にＬＰＰ信号が重畳された状態になっており、このＬＰＰ信号のウォブル信号に与える影響を除去することができない。ＤＶＤ−Ｒ／ＲＷの記録動作を行う光ディスクドライブにおいては、光ディスク基板にプリフォーマットされているグルーブウォブル信号やＬＰＰアドレス信号を再生する必要がある。通常、グルーブウォブル信号やＬＰＰアドレス信号は、混在した形で、１系統の光ディスクからの反射差信号を検出することで、行われ、ウォブル再生系とＬＰＰ再生系に並列に入射される。
【０００５】
しかしながら、ウォブル再生系にとっては、ＬＰＰ信号は記録同期を不安定にする不要なものであるにも拘わらず、ＬＰＰ信号がウォブル信号に重畳された状態にあり、ウォブル信号の品位に悪影響を及ぼす、という問題があった。
【０００６】
この発明の目的は、ウォブル再生系には、邪魔なＬＰＰ信号成分を除去した後の反射差信号を入力してウォブル品位を高めたウォブル信号生成装置を提供することにある。
【０００７】
【課題を解決するための手段】
上記した課題を解決するために、この発明の光ディスクドライブ装置は、絶対時間情報に基づきウォブルさせたトラッキングを有する光ディスクと、前記光ディスクに光ビームを照射する光ビーム照射手段と、前記光ディスクからの反射光を受光するため、前記光ディスクの半径方向に分割された少なくとも２つの受光面を持つ光検出手段と、前記２つの受光面によりそれぞれ検出される第１および第２の出力信号に基づき、前記トラックのウォブルに対応するウォブル信号を生成するウォブル信号生成部と、を具備し、前記ウォブル信号生成部は、前記第１および第２の出力信号の差演算を行って反射差信号を抽出し、該反射差信号に含まれる前記光ディスクの書き込み位置を示すＬＰＰ信号に同期したゲートにより、前記反射差信号をサンプルホールドすることによりウォブル信号を生成したことを特徴とする。
【０００８】
この手段によると、光ピックアップの位置検出用光検出手段の出力を処理し、ウォブル信号に含まれるＬＰＰアドレス信号を除去することにより、高品位のウォブル信号を生成することが可能となる。
【０００９】
【発明の実施の形態】
以下、この発明の実施の形態について、図面を参照しながら詳細に説明する。
図１は、この発明の一実施の形態について説明するためのシステム構成図である。光ディスク１１は、ＤＶＤ−Ｒ／ＲＷ等の追記対応型であって、絶対時間情報に基づいてウォブルさせたトラックが形成されており、スピンドルモータ１２により例えば線速度一定で回転駆動される。光ディスク１１の記録面と対応する位置には光ビーム照射手段１３１および光検出手段１３２からなる光ピックアップ１３が配置されている。光ピックアップ１３は、送りモータ１４により、光ディスク１１の半径方向に駆動制御される。スピンドルモータ１２、送りモータ１４の送り制御および光ピックアップ１３のフォーカス制御は、サーボ制御部１５により行われる。
【００１０】
光ディスク１１からの反射光信号は、図では省略してある復調回路に送られ記録情報の復調か行われるとともに、ウォブル信号生成部１６によりウォブル信号が生成され、またフォーカスエラー信号生成部１７、トラッキングエラー信号生成部１８によりそれぞれフォーカスエラー信号ＦＥ、トラッキングエラー信号ＴＥが生成される。
【００１１】
フォーカスエラー信号ＦＥは、図示しないフォーカシング制御回路に供給してフォーカスアクチュエータ用駆動電圧ＦＣを生成する。このフォーカスアクチュエータ駆動電圧ＦＣをフォーカシング駆動コイルに供給することにより、レーザ光が光ディスク１１の記録膜上に常時ジャストフォーカスとなるような制御が行われる。
【００１２】
また、トラッキングエラー信号ＴＥは、図示しないトラッキング制御回路に供給してトラッキングエラー信号に応じたトラック駆動信号ＴＯを生成する。このトラック駆動信号ＴＯをトラッキング方向の駆動コイルに供給し、トラッキング制御を行う。
【００１３】
ウォブル信号生成部１６は、演算アンプ１６１、ＬＰＰスライス回路１６２、ＬＰＰマスク回路１６３、帯域通過フィルタ（ＢＰＦ）回路１６４で構成する。ウォブル信号生成部１６に供給される光ディスク１１からの反射光信号は、光検出手段１３２で検出し、演算アンプ１６１で差演算を行い、ウォブル信号およびＬＰＰ信号を含む反射差信号として抽出する。
【００１４】
なお、ＬＰＰ信号は、光ディスク１１のアドレス情報を含んでおり、光ディスク１１の書き込み位置を示す役割を持っている。また、ウォブル信号は、記録中にこの信号を元に記録クロック信号が生成され、記録データの同期をとるための基準信号となる。
【００１５】
ここで、光検出手段１３２はＡ〜Ｄのフォトダイオードで構成され、光ディスク１２より反射された光を検出するためのものであり、図２にフォトダイオードと演算アンプ１６１の具体的な構成例を示し、反射差信号の生成についてさらに説明する。
【００１６】
上記フォーカシング制御およびトラッキング制御が行われることで、フォトダイオードＡ〜Ｄからそれぞれ出力される出力信号を得る。フォトダイオードＡ，Ｄから出力される信号は、加算器２１に供給して（Ａ＋Ｄ）を得る。フォトダイオードＢ，Ｃから出力される信号は、加算器２２に供給して（Ｂ＋Ｃ）を得る。加算器２１，２２の出力は、それぞれ減算器２３に供給し、ここで（Ａ＋Ｄ）から（Ｂ＋Ｃ）の減算を行い（Ａ＋Ｄ）−（Ｂ＋Ｃ）を得て、これを反射光信号として出力する。
【００１７】
反射差信号（Ａ＋Ｄ）−（Ｂ＋Ｃ）は、ＬＰＰスライス回路１６２およびＬＰＰマスク回路１６３にそれぞれ供給する。演算された後の反射差信号（Ａ＋Ｄ）−（Ｂ＋Ｃ）は、ＬＰＰスライス回路１６２をより具体的に示した図３の上側コンパレータ３１、下側コンパレータ３２、ＬＰＰマスク回路１６３にそれぞれ供給する。
【００１８】
上側コンパレータ３１では、図４（ａ）に示すようにＬＰＰ信号の上側振幅Ｌ１をスライスし、これに同期したゲートを発生させ、下側コンパレータ３２では、ＬＰＰ信号の下側振幅Ｌ２をスライスする。ＬＰＰ信号に基づいて生成されたゲート信号を発生させ、ＯＲ回路３３で論理和を取ることにより、図４（ｂ）に示すマスク用ゲート信号Ｇｍを得る。下側コンパレータ３２より出力されるＬＰＰ信号は、コントローラ１９へ送られ、コントローラ１９で、ＬＰＰ信号のデコードを行う。
【００１９】
一方、ＬＰＰマスク回路１６３に送られた反射差信号（Ａ＋Ｄ）−（Ｂ＋Ｃ）は、マスク用ゲート信号Ｇｍのタイミングで反射差信号をサンプル／ホールドすることで、上および下側振幅Ｌ１，Ｌ２のＬＰＰ信号を除去することができる。ＬＰＰ信号が除去された信号波形の状態を図４（ｃ）に示す。ＬＰＰマスク回路１６３の出力は、帯域通過フィルタ回路１６４へ送り、波形整形が行われた図４（ｄ）に示すウォブル信号を得る。このウォブル信号は、コントローラ１９へと送られてウォブル信号のデコードを行う。
【００２０】
上記したように、この実施の形態によれば、ウォブル生成系において、ＬＰＰ信号をマスクすることにより、帯域通過フィルタ回路を用いて波形整形した後の信号からＬＰＰ信号を除去することができることから、ウォブル信号の品位を高めることができことから、確実な記録同期による安定した映像の実現が可能となる。
【００２１】
【発明の効果】
以上説明したように、この発明の光ディスクドライブ装置によれば、光ディスクからの反射光信号に基づきウォブル生成する場合に、ＬＰＰ信号をマスクすることによりＬＰＰ信号をウォブル信号から除去し、ウォブル信号の品位を高めることが可能となる。
【図面の簡単な説明】
【図１】この発明の光ディスクドライブ装置の一実施の形態について説明するためのシステム構成図。
【図２】図１の演算アンプのより具体的な構成例について説明するための構成図。
【図３】図１のＬＰＰスライス回路のより具体的な構成例について説明するための構成図。
【図４】図１の動作について説明するための信号波形図。
【符号の説明】
１１…光ディスク
１３…光ピックアップ
１３１…光ビーム照射手段
１３２…光検出手段
１６…ウォブル信号生成部
１６１…演算アンプ
１６２…ＬＰＰスライス回路
１６３…ＬＰＰマスク回路
１６４…帯域通過フィルタ回路
２１，２２…加算器
２３…減算器
３１…上側コンパレータ
３２…下側コンパレータ
３３…ＯＲ回路
【図１】
2004227643.tif 000003
【図２】
2004227643.tif 000004
【図３】
2004227643.tif 000005
【図４】
2004227643.tif 000006